(57)【要約】【課題】本考案は壁面又はガラス面に固定される花器の水平方向に開口部が開く収納空間に装填可能なポット苗に関するものである。【解決手段】壁面又はガラス面に固定される花器の水平方向に開口部が開く収納空間に装填することを目的とし、ポット苗を横に倒してポット開口部を水平方向に向けた状態で、余分な水分が漏れたり、用土や植物が脱落することもなく、植物の生育のために通気性も確保でき長期間の生育が可能で、たとえ枯れてもポットごと取替えが容易なポット苗を提供しようとするものである。【選択図】  図３
0003121480.tif 000002
【実用新案登録請求の範囲】
【請求項１】
防水性素材で袋状に形成された一端に開口部を持ち排水孔を設けない袋状ポットに、保水性と通気性の高い高分子吸水材とバーミキュライトと粉砕したミズゴケとゼオライトとを混合攪拌した人工培土を装填し、植物の苗を植え付け後に上層部にミズゴケを充填するようにしたポット苗。
【請求項２】
前記袋状ポットには、一端に設けられた開口部の近傍に開閉自在なチャックを備えるようにした請求項１に記載のポット苗。
【請求項３】
善紀袋状ポットは、防水性素材で一端が開口の筒状に形成された排水孔を設けない筒状体容器であるようにした請求項１に記載のポット苗。
【請求項４】
前記筒状体容器には、一端に設けられた開口部の近傍に竹の節状で中央部に開口穴を設け、その開口穴部をすり鉢状に下方へ向かうように形成した逆流防止のための可撓性を持つスカート部を備えるようにした請求項３に記載のポット苗。
【考案の詳細な説明】
【技術分野】
【０００１】
本考案は壁面又はガラス面に固定される花器の水平方向に開口部が開く収納空間に装填可能なポット苗に関するものである。
【背景技術】
【０００２】
たとえば、特願２００２−３４８６４２号、特願２００４-４１９６０号などのポットは、壁面又はガラス面に固定される花器の水平方向に開口部が開く収納空間に装填することは想定されていない。通常のポット苗はポット開口部が鉛直方向を向くようになっており、底壁には排水孔が設けられている。しかしながら、垂直面を植物で装飾しようとする場合には、ポット苗を横に倒してポット開口部を水平方向に向けて使用する場合が考えられる。
【考案の開示】
【考案が解決しようとする課題】
【０００３】
壁面又はガラス面に固定される花器の水平方向に開口部が開く収納空間に装填することを目的とし、ポット苗を横に倒してポット開口部を水平方向に向けた状態で、余分な水分が漏れたり、用土や植物が脱落することもなく、植物の生育のために通気性も確保でき長期間の生育が可能で、たとえ枯れてもポットごと取替えが容易なポット苗を提供しようとするものである。
【課題を解決するための手段】
【０００４】
請求項１は、防水性素材で袋状に形成された一端に開口部を持ち排水孔を設けない袋状ポットに、保水性と通気性の高い高分子吸水材とバーミキュライトと粉砕したミズゴケとゼオライトとを混合攪拌した人工培土を装填し、植物の苗を植え付け後に上層部にミズゴケを充填するようにしたポット苗。
【０００５】
請求項２は、前記袋状ポットには、一端に設けられた開口部の近傍に開閉自在なチャックを備えるようにした請求項１に記載のポット苗。
【０００６】
請求項３は、前記袋状ポットは、防水性素材で一端が開口の筒状に形成された排水孔を設けない筒状体容器であるようにした請求項１に記載のポット苗。
【０００７】
請求項４は、前記筒状体容器には、一端に設けられた開口部の近傍に竹の節状で中央部に開口穴を設け、その開口穴部をすり鉢状に下方へ向かうように形成した逆流防止のための可撓性を持つスカート部を備えるようにした請求項３に記載のポット苗。
【考案の効果】
【０００８】
本考案のポット苗は、壁面又はガラス面に固定される花器の開口部が水平方向を向く収納空間に装填するために防水性素材で袋状に形成された一端に開口部を持ち排水孔を設けない袋状ポット又は、防水性素材で一端が開口の筒状に形成された排水孔を設けない筒状体容器を使用するため、水漏れを防ぐ効果をもつが、排水が困難な為に通気性が確保されずに根腐れを起すことが常識的に考えられる。
【０００９】
上記の袋状ポット又は筒状体容器に保水性と通気性の高い高分子吸水材とバーミキュライトと粉砕したミズゴケとゼオライトとを混合攪拌した人工培土を装填することで、余分な水分を培土自身が吸収保持し、通気性を確保する。
【００１０】
上記の人工培土を装填した袋状ポット又は筒状体容器に植物の苗を植えつけるが、この場合、人工培土に水分は吸収保持されているために植物の根が水没することがなくなり通気性は保たれる。水分が減少すると、余剰な水分を吸収保持していた高分子吸水材から植物に水分が供給されるため灌水回数を減らすことができる。
【００１１】
上記の植物を植えつけた袋状ポット又は筒状体容器に開口部近傍までミズゴケをしっかりと充填することで、ポット苗を横に倒して開口部を水平方向に向けても、余分な水分が漏れたり、用土や植物が脱落することもなくなり、また水分の蒸散を制限できる。
【００１２】
さらに、袋状ポットは開口部を開閉するためのチャックを２〜３割程度閉めることで、筒状体容器は開口部近傍の逆流防止のための可撓性を持つスカート部によって植物をしっかり固定することができる。
【考案を実施するための最良の形態】
【００１３】
以下、添付図面に従って具体的に実施例により説明する。図１は、本考案の袋状ポットの透視斜視図である。袋状ポット本体１にチャック２が開口部３に取り付けられている。
【００１４】
図２は、本考案の筒状体容器の透視斜視図である。筒状体容器本体４に逆流防止のための可撓性のスカート部５が開口部６に取り付けられている。
【００１５】
図３は、本考案の袋状ポット苗の断面図である。袋状のポット本体１に保水性と通気性の高い高分子吸水材とバーミキュライトと粉砕したミズゴケとゼオライトとを混合攪拌した人工培土７を装填し、植物体根部８を植えつけ、ミズゴケ９をチャック２まで充填する。チャック２を２〜３割程度閉める。この結果、ポット苗を横に倒して開口部９を水平方向に向けても、植物体１０が飛び出したり、余剰な水が漏れたり、用土がこぼれ落ちることがなく、植物根への通気も確保される。
【００１６】
図４は、本考案の筒状体容器苗の断面図である。筒状体容器本体４に保水性と通気性の高い高分子吸水材とバーミキュライトと粉砕したミズゴケとゼオライトとを混合攪拌した人工培土７を装填し、植物体根部８を植えつけ、ミズゴケ９を開口部６の逆流防止のための可撓性を持つスカート部５まで充填する。この結果、筒状体容器苗を横に倒して開口部を水平方向に向けても、植物体１０が飛び出したり、余剰な水が漏れたり、用土がこぼれ落ちることがなく、植物根への通気も確保される。
【００１７】
図５は、上記に記載したポット苗１１を壁面又はガラス面１２に固定される花器１３に装着するところを示している。
【図面の簡単な説明】
【００１８】
【図１】本考案の袋状ポットの透視斜視図である。
【図２】本考案の筒状体容器の透視斜視図である。
【図３】本考案の袋状ポット苗の断面図である。
【図４】本考案の筒状体容器苗の断面図である。
【図５】本考案のポット苗の装着例である。
【符号の説明】
【００１９】
１  袋状ポット本体
２  チャック
３  開口部
４  筒状体容器本体              
５  スカート部    
６  開口部      
７  人工培土
８  植物体根部  
９  ミズゴケ                  
１０  植物体          
１１  ポット苗
１２  壁面又はガラス面
１３  垂直面装飾用花器
【図１】
0003121480.tif 000003
【図２】
0003121480.tif 000004
【図３】
0003121480.tif 000005
【図４】
0003121480.tif 000006
【図５】
0003121480.tif 000007